(57)【特許請求の範囲】
【請求項１】
操作部の押圧操作によりケース内に設けたロック棒を解錠位置から前方にスライドさせたうえ回動することによって該ロック棒の先端係合部を押し上げて盤類のパネル支持部に設けられた係止孔の係止縁に当接して鎖錠する鎖錠装置において、前記ロック棒はその両側に突設した軸部をケースの両側板部の下方に設けたスライド溝に嵌合させてケース内で前後スライド自在とされており、このロック棒を操作部の押圧操作により前方にスライドさせて前記した先端係合部がケースの先端開口から平行に突出させたうえパネル支持部の前記係止孔に挿入させて、前記した軸部がスライド溝の先端縁に当接させた状態となった後に、前記した操作部の押圧操作をさらに続けると、ロック棒が軸部を中心として回動して先端係合部がパネル支持部の係止孔の係止縁に当接された鎖錠状態が得られるようにしたことを特徴とする鎖錠装置。
【請求項２】
操作部とロック棒が別体である請求項１に記載の鎖錠装置。
【請求項３】
操作部をレバーとした請求項１又は２に記載の鎖錠装置。
【請求項４】
ロック棒を鎖錠位置でロックするためのスライドロック装置を操作部に設けた請求項１又は２又は３に記載の鎖錠装置。
【発明の詳細な説明】
【０００１】
【発明の属する技術分野】
本発明は、箱の扉や蓋、側板等のパネルを取付保持するため使用する鎖錠装置に関するものである。
【０００２】
【従来の技術】
従来の鎖錠装置は、ロック棒をスライドさせてその先端係合部を盤類の係止部に係合するか（例えば、特開平１０−８８０８号公報）、ロック棒を軸を中心に回動させてその先端係合部を盤類の係止部に係合させて鎖錠を行うものであった。
【０００３】
【発明が解決しようとする課題】
ところが、ロック棒をスライドさせて鎖錠を行うものにあっては、ロック棒の先端係合部と盤類の係止部との取付公差を越えた歪みがあった場合にはロック棒が係合できない問題があり、それを回避するため取付公差を大きくした場合にはロック棒の係止部との間に隙間ができて振動時に異音が発生する問題がある。また、ロック棒を軸を中心に回動させて鎖錠を行うものにあっては、ロック棒の先端係合部の解錠位置と鎖錠位置との間の回動軌跡の分構造が大きくなる問題があった。
【０００４】
【課題を解決するための手段】
前記の課題を解決するためになされた本発明の鎖錠装置は、操作部の押圧操作によりケース内に設けたロック棒を解錠位置から前方にスライドさせたうえ回動することによって該ロック棒の先端係合部を押し上げて盤類のパネル支持部に設けられた係止孔の係止縁に当接して鎖錠する鎖錠装置において、前記ロック棒はその両側に突設した軸部をケースの両側板部の下方に設けたスライド溝に嵌合させてケース内で前後スライド自在とされており、このロック棒を操作部の押圧操作により前方にスライドさせて前記した先端係合部がケースの先端開口から平行に突出させたうえパネル支持部の前記係止孔に挿入させて、前記した軸部がスライド溝の先端縁に当接させた状態となった後に、前記した操作部の押圧操作をさらに続けると、ロック棒が軸部を中心として回動して先端係合部がパネル支持部の係止孔の係止縁に当接された鎖錠状態が得られるようにしたことを特徴とするものである。前記操作部とロック棒が別体であってもよく、また、操作部をレバーとしもよい。そして、ロック棒を鎖錠位置でロックするためのスライドロック装置を操作部に設けることが好ましい。
【０００５】
【発明の実施の形態】
次に、盤類に使用した本発明の好ましい実施の形態を図面に基づき説明する。先ず、図１から図７は第１の実施の形態を示す図であり、１は盤類１０１の内扉やシールド板等のパネル２０１に固定される鎖錠装置のケースであり、このケース１の上面に設けた上部開口１１には操作部としてのレバー２が前方両側に突設した軸部２ａ、２ａをケース１の両側板部１２、１２の上部に設けた軸受部１２ａ、１２ａに軸支させて起倒自在に取り付けられている。３はケース１の下面側にスライド自在に嵌合されているロック棒であり、該ロック棒３は両側に突設した軸部３１、３１をケース１の両側板部１２、１２の下方に設けたスライド溝１２ｂ、１２ｂにスライド自在に嵌合されている。
【０００６】
そして、該ロック棒３は前記レバー２がケース１内に収まった伏倒状態にあってはレバー２の両側下方に垂設した押圧部２１、２１の回動作用により該ロック棒３の上端両側に突設した係止突起３２、３２を押圧されてケース１の前面開口１３から先端係合部３３を突出させて盤類１０１のパネル支持部１０２に設けた係止孔１０３に挿入した後に軸部３１がスライド溝１２ｂの先端縁に当接して該軸部３１を中心に回動して先端係合部３３を押し上げ係止孔１０３の係止縁１０３ａに強固に当接して鎖錠するものである。また、鎖錠する時は、ロック棒３がスライドして回転し、解錠する時は、回転してスライドするので、いずれの場合においても係止穴１０３の係止縁１０３ａとロック棒３が擦れ合うことがない。
【０００７】
４はレバー２がケース１内に収まった伏倒状態を保持させるためレバー２の基端を係止するフック部であり、該フック部４はケース１の背面板１４の中央部上端の内面に係止部４１を突設するとともに該係止部４１の後部に引き起こし爪４２を張設したもので、レバー２が伏倒させた際に係止部４１の上面に設けた案内面により自動的に係止され、引き起こし爪４２を下方に押圧することにより係止を解除するものである。なお、フック部４はレバー２の基端側に設けてもよい。
【０００８】
５はレバー２を引き起こしてロック棒３へのレバー２の押圧部２１、２１による押圧を解除した際にロック棒３を後退させて解錠位置に待機させる後退手段であり、該後退手段５はロック棒３を常時後方に附勢するバネ５１よりなるものであっても、レバー２を引き起こした際にケース１内に入り込み後方に向け回動する該レバー２の先端部５２の内面によりロック棒３の上部前面を後方に押圧する構成としてもよい。
【０００９】
なお、図示の後退手段５としてのバネ５１はロック棒３の先端から基端に亘り下面に設けた溝３４に押しバネ５１を嵌合して該押しバネ５１の先端をケース１の先端開口１３に下面板部１５に立設した舌片１５ａに当接したうえ押しバネ５１の基端を溝３４の基端に形成した底部３４ａに当接してロック棒３を常時後方に附勢している。なお、舌片１５ａは溝３４内に挿通できる大きさであることは勿論である。また、後退手段５として常時後方に附勢するバネ５１よりなるものとすることにより、ロック棒３の係止突起３２によりレバー２の押圧部２１を後方に押圧してレバー２を自動的に起立させることができるものである。
【００１０】
６はレバー２をケース１内に収まった伏倒状態にロックして、フック部４の係止が解かれてもロック棒３の解錠を防止するスライドロック機構である。このスライドロック機構６は図６及び図７に示すようにレバー２の基端側裏面に前後方向に設けた凹段部２４にスライド板６１を下方から摺動自在に嵌合するとともに該スライド板６１の上端に中央に突設した操作突起６２を凹段部２４の中央に前後方向に透設したスライド孔２４ａから露呈させ、また、スライド板６１の下面を後記する板バネ７の上部バネ板部７１に抜け落ちることなく支持させて前後方向にスライド自在としてスライド板６１の基端に連設したロック板部６３をケース１の背面板１４に形成したロック孔６４に嵌脱させるものである。なお、スライド板６１の下面を後記する板バネ７の上部バネ板部７１に支持させることによりスライド板６１の上面に突設した位置決用の突起６１ａとレバー２の凹段部２４に設けた位置決用の凹部６１ｂとの係脱時のスライド板６１とレバー２との間の上下動を板バネ７の上部バネ板部７１の弾性により吸収されて確実にロックできるものである。
【００１１】
７はレバー２の下面とロック棒３との間に介在させた横Ｕ字状に彎曲させた板バネであり、該板バネ７は上部バネ板部７１をレバー２の下面に添装して下部バネ板部７の基端両側を前記レバー２の押圧部２１、２１の後部内側に突設した係止部２１ａに係合させて取り付けて、下部バネ板部７２の基端側をロック棒３の基端上部に臨ませてレバー２がケース１内に収まった伏倒状態においてロック棒３の基端上部を押圧させることができるものとしている。
【００１２】
このように構成されたものは、盤類１０１の内扉やシールド板等のパネル２０１に透設した取付孔２０１ａの孔縁前面にケース１の上面周縁に張設した鍔板部１ａを透設させるとともにケース１の両側板部１２、１２の外側に設けた弾性係止片１２ｃ、１２ｃを取付孔２０１ａの孔縁後面に当接して取り付ける。そして、レバー２を操作即ち引き起こし、伏倒することにより、ロック棒３を盤類１０１のパネル２０１の支持部１０２に設けた係止孔１０３に係脱させてパネル２０１の鎖錠・解錠を行うものである。
【００１３】
この第１の実施の形態においては、操作部であるレバー２の操作によりロック棒３を解錠位置からスライドさせた後に回動させて鎖錠するものである。即ち、図４に示すようにレバー２の引き起こし状態では該レバー２による押圧を解除されて後退手段５に解錠位置にロック棒３が後退されて解錠されている。そして、この状態から図５に示すようにレバー２を伏倒方向に回動して該レバー２の両側下方に垂設した押圧部２１、２１にロック棒３の上端両側に突設した係止突起３２、３２を押圧させてロック棒３を前方にスライドさせケース１の先端開口１２から先端係合部３３を平行に突出させて盤類１０１のパネル２０１の支持部１０２に設けた係止孔１０３に挿入したうえ軸部３１がスライド溝１２ｂの先端縁に当接させて押圧を続ければ図１に示すように軸部３１を中心にロック棒３の先端係合部３３が上方に回動して該先端係合部３３が係止孔１０３の係合縁１０３ａに当接して鎖錠されるものである。
【００１４】
このように、ロック棒３はレバー２の操作によりスライドして盤類１０１の係止孔１０３に到達した後に回動して係止孔１０３の係合縁１０３ａに当接して締めつけを行うので、ロック棒３の先端係合部３３と盤類１０１の係止孔１０３の係合部１０３ａとの間に隙間ができる虞のないものである。また、ロック棒３の先端係合部３３の解錠位置と鎖錠位置との間の回動軌跡が小さくして鎖錠できるので鎖錠装置全体の構造を小さくできるものである。
【００１５】
また、レバー２の下面とロック棒３との間に板バネ７を介在させて、鎖錠時に該板バネ７によりロック棒３の基端上部を下方に押圧させることにより、先端係合部３３と盤類１０１の係止孔１０３の係合部１０３ａとの間隔が狭いものややや広いものなど少々異なるものにおいても該板バネ７の弾性により間隔の違いを吸収でき的確鎖錠できるものである。さらに、該板バネ７はその弾性により輸送中や地震時におけるパネル２０１の振動をロック棒３を介して吸収さてロック棒３ががたつくのを防止するものである。
【００１６】
さらに、第１の実施形態の鎖錠装置は、ロック棒３を鎖錠位置でロックするためのスライドロック機構６をスライド板６１を前後に摺動するという簡単な構成したのでレバー２の裏面に凹段部２４に設けることができるものであって場所どることもなく安価に提供できるものである。
【００１７】
次に、第２、第３の実施の形態について説明する。なお、この両実施の形態は、第１の実施の形態との相違する部分について説明し、他の部分は第１の実施の形態の説明を援用して省略する。先ず、図８及び図９に示す第２の実施の形態においては、操作部として押しボタン８を使用している。すなわち、図８に示すように操作部である押しボタン８を下方に押し、該押しボタン８の下方に形成した押圧部９０１にロック棒３の後方に形成した押圧部３０１を押圧させ、第１の実施の形態と同様に鎖錠・解錠を行う。
【００１８】
続いて、図１０及び図１１に示す第３の実施の形態においては、操作部８とロック棒３を一体としたものである。すなわち、図１１に示すように操作部８を押圧すると該操作部８がスライドし、その後回動させて第１の実施の形態と同様に鎖錠・解錠を行う。そして、第１と第２の実施の形態と異なり操作部８とロック棒３を一体なっているので部品点数を少なくできる。
【００１９】
【発明の効果】
以上に説明したように、本発明の鎖錠装置は、第１、第２及び第３の実施形態の示すように、ロック棒を操作部によりスライドさせた後に回動させて解錠位置から鎖錠するものであるから、ロック棒の先端係合部と盤類の係合部との間に隙間ができる虞のないものであり、また、ロック棒の先端係合部の解錠位置と鎖錠位置との間の回動軌跡が小さいので鎖錠装置全体の構造を小さくできるものである。さらに、操作部にロック棒を鎖錠位置でロックするためのスライドロック機構を設けたので製造が容易で安価に提供できるものである。従って、従来の鎖錠装置の問題点を解決したものとして業界にもたらす益大なものである。
【図面の簡単な説明】
【図１】本発明の第１の実施の形態を鎖錠状態で示す一部切欠側面図である。
【図２】本発明の第１の実施の形態を鎖錠状態で示す平面図である。
【図３】本発明の第１の実施の形態を鎖錠状態で示す一部切欠正面図である。
【図４】本発明の第１の実施の形態を解錠状態で示す一部切欠側面図である。
【図５】ロック棒を鎖錠方向にスライドさせた状態を示す一部切欠側面図である。
【図６】スライドロック機構をロック解除状態で示す断面図である。
【図７】スライドロック機構をロック状態で示す断面図である。
【図８】本発明の第２の実施の形態を解錠状態で示す一部切欠側面図である。
【図９】本発明の第２の実施の形態を鎖錠状態で示す一部切欠側面図である。
【図１０】本発明の第３の実施の形態を解錠状態で示す一部切欠側面図である。
【図１１】本発明の第３の実施の形態を鎖錠状態で示す一部切欠側面図である。
【符号の説明】
１ ケース
２ レバー
３ ロック棒
６ スライドロック機構
８ 操作部
【図１】
0004010475.tif 000002
【図２】
0004010475.tif 000003
【図３】
0004010475.tif 000004
【図４】
0004010475.tif 000005
【図５】
0004010475.tif 000006
【図６】
0004010475.tif 000007
【図７】
0004010475.tif 000008
【図８】
0004010475.tif 000009
【図９】
0004010475.tif 000010
【図１０】
0004010475.tif 000011
【図１１】
0004010475.tif 000012